(57)【要約】【課題】室外側形材と室内側形材とをブリッジ材で連結した枠体が火災時に分解すること防止しながら、枠体の外周面に補強材等が突出することを防止する。【解決手段】金属材料からなる室外側形材と、金属材料からなる室内側形材と、室外側形材と室内側形材を連結する断熱性を備えたブリッジ材からなる枠材を備え、室外側形材と室内側形材は、それぞれ外周面が平坦でかつ内周面にナット部が形成された外周側壁部を備えており、室外側形材と室内側形材の外周側壁部の外周面に、平板状の開き止め金具がナット部に対して固定手段で固定されており、固定手段は、開き止め金具の外周面から突出させない。【選択図】  図５
2020193446.tif 000002
【特許請求の範囲】
【請求項１】
金属材料からなる室外側形材と、金属材料からなる室内側形材と、室外側形材と室内側形材を連結する断熱性を備えたブリッジ材からなる枠材を備え、
室外側形材と室内側形材は、それぞれ外周面が平坦でかつ内周面にナット部が形成された外周側壁部を備えており、
室外側形材と室内側形材の外周側壁部の外周面に、平板状の開き止め金具がナット部に対して固定手段で固定されており、固定手段は、開き止め金具の外周面から突出していないドア。
【発明の詳細な説明】
【技術分野】
【０００１】
本発明は、建築物等の開口部に配置されるドアに関する。
【背景技術】
【０００２】
従来、建築物の開口部、特に玄関に配置されるドアとして、高い断熱性を有する玄関ドアが知られている。（特許文献１）。
【先行技術文献】
【特許文献】
【０００３】
【特許文献１】特開2016-164325号公報
【発明の概要】
【発明が解決しようとする課題】
【０００４】
近年、建築物等の開口部に配置されるドアについて、断熱性能とともに火災時における耐火性能が求められている。
【０００５】
本発明は、サッシにおいて、断熱性能及び耐火性能を合わせて備えるドアを提供することを目的とする。
【課題を解決するための手段】
【０００６】
本発明の一実施形態は、金属材料からなる室外側形材と、金属材料からなる室内側形材と、室外側形材と室内側形材を連結する断熱性を備えたブリッジ材からなる枠材を備え、室外側形材と室内側形材は、それぞれ外周面が平坦でかつ内周面にナット部が形成された外周側壁部を備えており、室外側形材と室内側形材の外周側壁部の外周面に、平板状の開き止め金具がナット部に対して固定手段で固定されており、固定手段は、開き止め金具の外周面から突出していないドアである。
【発明の効果】
【０００７】
本実施形態のドアの構成により、断熱性能及び耐火性能を合わせて付与することができる。
【図面の簡単な説明】
【０００８】
【図１】本発明の一実施形態に係るドアの内観図である。
【図２】本発明の一実施形態に係るドアの竪断面図であり、図１のｘ−ｘ断面図である。
【図３】本発明の一実施形態に係るドアの横断面図であり、図１のｙ−ｙ断面図である。
【図４】本発明の一実施形態に係るドアの枠体の斜視図である
【図５】本発明の一実施形態に係るドアの枠体の断面図であり、（ａ）は開き止め金具を固定する前の状態を示す図であり、（ｂ）は開き止め金具を固定した後の状態を示す図である。
【図６】本発明の一実施形態に係るドアの枠体の断面図であり、（ａ）は幅広の開き止め金具を固定した状態を示す図であり、（ｂ）は開き止め金具を固定した後の状態を示す他の実施形態の図である。
【図７】本発明の一実施形態に係るドアの竪枠の下方部分の拡大斜視図であり、開き止め金具を固定する前の状態を示す図である
【図８】本発明の一実施形態に係るドアの竪枠の下方部分の拡大斜視図であり、開き止め金具を固定した後の状態を示す図である
【図９】本発明の一実施形態に係るドアの竪枠の上方部分の拡大斜視図であり、幅広の開き止め金具を固定する前の状態を示す図である
【図１０】本発明の一実施形態に係るドアの竪枠の上方部分の拡大斜視図であり、幅広の開き止め金具を固定した後の状態を示す図である
【図１１】本発明の他の実施形態に係るドアの竪枠の下方部分の拡大斜視図であり、開き止め金具を固定した後の状態を示す図である
【図１２】本発明の他の実施形態に係るドアの竪枠の上方部分の拡大斜視図である
【図１３】本発明の実施形態に係るドアの枠体にネジ部を設ける工程を説明する説明図である
【図１４】本発明の他の実施形態に係るドアの竪断面図である。
【図１５】本発明の他の実施形態に係るドアの横断面図である。
【発明を実施するための形態】
【０００９】
本発明の実施形態は、建物の玄関のリフォームに用いられる防火リフォーム玄関ドアである。以下、図面を参考に説明する。
【００１０】
実施形態の防火リフォーム玄関ドアは、図１に示すように、上枠１１、下枠１２及び左右の竪枠１３，１３を四周に組んでなるドア枠１と、ドア枠１の内周に配置されて人の出入り口を開閉する主ドア２と、副ドア３を備えている。
【００１１】
（ドア枠の上枠）
ドア枠１を構成する上枠１１は、図２に示すように、躯体開口部Ａの内周面室外側に配置される上室外側形材１１１と、躯体開口部の内周面室内側に配置される上室内側形材１１２と、上室外側形材１１１と上室内側形材１１２を連結する上ブリッジ材１１３を有している。
【００１２】
上室外側形材１１１は、アルミ合金等の押出形材により形成され、断面略矩形中空形状をなしており、室内側面に上ブリッジ材１１３を係合するための係合部を有している。
そして、上室外側形材１１１は、室外側内周面（下面）に上枠１１と主ドア２及び副ドア３の上面との間の空間に雨水等が侵入するのを防止する水切り片ｓ１が設けられているとともに、外周面には、加熱発泡材ｆが配置されている。
【００１３】
上室内側形材１１２は、アルミ合金等の押出形材により形成され、本体部と、本体部の下面から下方に延設される戸当り片部１１２ｋを有しており、本体部の室外側に上ブリッジ材１１３を係合する係合部を有している。
そして、上室内側形材１１２は、戸当り片部１１２ｋの屋外側面に、ドア閉鎖時に主ドア２及び副ドア３の上方室内側面に当接する戸当たり材ｔ１が設けられている。
【００１４】
上ブリッジ材１１３は、例えば合成樹脂等の断熱性を備える材料により形成され、上室外側形材１１１と上室内側形材１１２の間に上下に間を空けて配置される二つのブリッジ材１１３ａ，１１３ｂから構成されている。
そして、上室外側形材１１１と上室内側形材１１２が上ブリッジ材１１３により連結されることで、上枠１１が形成されている。
【００１５】
上枠１１は、上室内側形材１１２が躯体開口部Ａにネジｂ１等によりネジ止め固定されることで躯体開口部Ａに固定されており、上室外側形材１１１の屋外側には、上枠１１と躯体との間を塞ぐカバー部材１１４がネジ止め固定等によって取り付けられている。
【００１６】
（ドア枠の下枠）
ドア枠１を構成する下枠１２は、図２に示すように、アルミ合金等の押出形材により形成され、躯体開口部Ａの内周面を覆う見込み壁部１２ａと、見込み壁部１２ａの室内側に立ち上がる戸当り壁部１２ｂを有し、戸当り壁部１２ｂの屋外側面に、ドア閉鎖時に主ドア２及び副ドア３の下方室内側面に当接する戸当たり材ｔ２が設けられている。
【００１７】
（ドア枠の竪枠）
ドア枠１を構成する左右の竪枠１３，１３は、図３に示すように、同一形状をしており、躯体開口部Ａの内周面室外側に配置される竪室外側形材１３１と、躯体開口部Ａの内周面室内側に配置される竪室内側形材１３２と、竪室外側形材１３１と竪室内側形材１３２を連結する竪ブリッジ材１３３を有している。
【００１８】
竪室外側形材１３１は、アルミ合金等の押出形材により形成され、断面略矩形中空形状をなしており、室内側面に竪ブリッジ材１３３を係合するための係合部を有している。
また、竪室外側形材１３１は、外周面に加熱発泡材ｆが配置されている。
【００１９】
竪室内側形材１３２は、アルミ合金等の押出形材により形成され、本体部と、本体部の内周面から内周方向に延設される戸当り片部１３２ｋを有しており、本体部の室外側に竪ブリッジ材１３３を係合する係合部を有している。
そして、竪室内側形材１３２は、戸当り片部１３２ｋの屋外側面にドア閉鎖時に主ドア２もしくは副ドア３の左右端室内側面に当接する戸当たり材ｔ３が設けられている。
【００２０】
竪ブリッジ材１３３は、例えば合成樹脂等の断熱性を備える材料により形成され、竪室外側形材１３１と竪室内側形材１３２の間に左右に間を空けて配置される二つのブリッジ材１３３ａ，１３３ｂから構成されている。
そして、竪室外側形材１３１と竪室内側形材１３２が竪ブリッジ材１３３により連結され、竪枠１３，１３が形成されている。
【００２１】
竪枠１３は、竪室内側形材１３２が躯体開口部Ａにネジｂ３等により固定されることで躯体開口部Ａに固定されており、竪室外側形材１３１の屋外側には、竪枠１３と躯体との間を塞ぐカバー部材１３４がネジ止め固定等によって取り付けられている。
【００２２】
そして、ドア枠１は、図４に示すように、左右の竪枠１３，１３の内周面に上枠１１及び下枠１２の左右端部を突き合わせてタッピングネジ等によって固定されることで、四周に組んで形成されている。
【００２３】
（主ドア）
主ドア２は、図１ないし図３に示すように、樹脂製の芯材２１の室内外に鋼板等の板材２２ａ，２２ｂを配置し、板材間に発泡板材等からなる断熱材２３が配置されて形成されており、中央部分にはガラス等が嵌め込まれてなる明採り部２４が形成されている。
そして、主ドア２の左右両竪辺には、アルミ合金等の框材２５，２５が配置され、左竪枠１３の内周面にヒンジ８１によって支持されている。
【００２４】
（副ドア）
副ドア３は、主ドア２と同様に、樹脂製の芯材３１の室内外に鋼板等の板材３２ａ，３２ｂを配置し、板材３２ａ，３２ｂ間に発泡板材等からなる断熱材３３が配置されて形成されており、中央部分にはガラス等が嵌め込まれてなる明り採り部３４が形成されている。
そして、副ドア３の左右両竪辺には、アルミ合金等の框材３５，３５が配置され、右竪枠１３の内周面にヒンジ８２によって支持されている。
【００２５】
（ドア枠の開き止め構造）
以上、リフォーム玄関ドアは、ドア枠１を室外側形材と室内側形材を断熱性を有するブリッジ材によって連結して形成することで断熱性能を向上させている。
しかし、室外側形材と室内側形材を連結するブリッジ材は、断熱性を有する樹脂材料等によって形成されていることから、火災発生時にブリッジ材が熱により溶けて室外側形材と室内側形材が分離してしまい、室外側形材が躯体から外れて玄関ドアが崩壊する危険性があった。
【００２６】
そこで、本実施形態の防火リフォーム玄関ドアのドア枠１は、室外側形材と室内側形材を連結する開き防止部材（金具）を設けることで、火災時にブリッジ材が溶けても室外側形材と室内側形材との分離を防ぎ、玄関ドアが崩壊することを防止している。
以下、本実施形態の防火リフォーム玄関ドアのドア枠１、特に、上枠１１及び左右の竪枠１３，１３の構成について、左の竪枠１３を例にあげて、図面を参考に説明する。
【００２７】
開き止め部材（金具）５は、スチール等の金属材料からなる平板から形成され、本実施形態の玄関ドアの左の竪枠１３（ドア枠）においては、図４に示すように、室外側形材１３１と室内側形材１３２が竪枠１３の長さ方向複数個所（３箇所）において平板状の開き止め金具５１，５２，５３によって連結されている。
【００２８】
本実施形態の竪枠１３（ドア枠）は、図５（ａ）に示すように、（竪）室外側形材１３１と、（竪）室内側形材１３２と、（竪）ブリッジ材１３３を有している。
【００２９】
室外側形材１３１は、躯体開口部Ａに対向する外周側壁部１３１ａと、ドア枠１の内周面を形成する内周側壁部１３１ｂと、外周側壁部１３１ａと内周側壁部１３１ｂの室内側同士を連絡する室内側壁部１３１ｃと、外周側壁部１３１ａと内周側壁部１３１ｂの室外側同士を連絡する室外側壁部１３１ｄを有する断面略矩形中空形状の形材により形成されている。
【００３０】
室外側形材１３１は、室内側壁部１３１ｃの室内側面に２条のブリッジ材係合部１３１ｅ，１３１ｆが形成されており、外周側壁部１３１ａの外周面は平坦面に形成されている。
そして、室外側形材１３１は、外周側壁部１３１ａの内周面にナット部１３１ｈが形成されている。
【００３１】
室内側形材１３２は、躯体開口部Ａに対向する外周側壁部１３２ａと、ドア枠１の内周面を形成する内周側壁部１３２ｂと、外周側壁部１３２ａと内周側壁部１３２ｂの室内側同士を連絡する室内側壁部１３２ｃを有する断面略Ｕ字状の形材により形成されている。
【００３２】
室内側形材１３２は、外周側壁部１３２ａの室内側端と内周側壁部１３２ｂの室内側端にそれぞれブリッジ材係合部１３２ｄ，１３２ｅが形成されており、外周側壁部１３２ａの外周面は平坦面に形成されている。
そして、室内側形材１３２は、外周側壁部１３２ａの内周面にナット部１３２ｈが形成されている。
【００３３】
竪ブリッジ材１３３は、内周側に配置されるブリッジ材１３３ａと、外周側に配置されるブリッジ材１３３ｂの２つの部材からなる。そして、両ブリッジ材１３３ａ，１３３ｂが室外側形材１３１のブリッジ材係合部１３１ｅ，１３１ｆと室内側形材１３２のブリッジ材係合部１３２ｄ，１３２ｅに係合され、室外側形材１３１と室内側形材１３２は外周面が面一となるように連結され、竪枠１３を形成している。
【００３４】
室外側形材１３１のナット部１３１ｈと室内側形材１３２のナット部１３２ｈは、各形材の長さ方向複数個所に形成されており、図７，図９に示すように、ブリッジ材１３３によって連結された室外側形材１３１のナット部１３１ｈと室内側形材１３２のナット部１３２ｈは、長手方向で位置が一致するように配置されている。
【００３５】
そして、本実施形態の竪枠１３（ドア枠）は、図５（ｂ）に示すように、室外側形材１３１及び室内側形材１３２の平坦な外周面に平板状の開き止め金具５が当接され、開き止め金具５はネジ等の固定手段７，７によってナット部１３１ｈ，１３２ｈに固定されている。
【００３６】
開き止め金具５を固定するネジ等の固定手段７は、開き止め金具５を竪枠１３に固定した状態でネジ頭が開き止め金具５の外周側に突出することがなく、竪枠１３は、外周面が平坦な面として維持されている。
なお、固定手段７を開き止め金具５の外周側に突出させないようにするために、開き止め金具５に固定手段７のネジ頭等を収容する空間を設ければよいが、開き止め金具５の外周側に突出させないための構成は限定されるものではない。
【００３７】
竪枠１３の上方位置に配置される開き止め金具５１は、図９，図１０に示すように、主ドア２もしくは副ドア３を支持するヒンジ８１，８２が取り付けられる位置にあわせて配置されており、図４及び図６（ａ）に示すように、竪枠１３の中間位置及び下方位置に配置される開き止め金具５２，５３に比べて見込み方向及び見付け方向の寸法が大きく形成され、主ドア２もしくは副ドア３を支持するヒンジ８１，８２の補強部材を兼用している。
【００３８】
そして、図５，図７ないし図１０に示すように、竪枠１３は、室外側形材１３１の外周面に熱膨張耐火材ｆ１３１，ｆ１３２が配置されている。
熱膨張耐火材ｆ１３１，ｆ１３２は、室外側形材１３１の外周面に見込み方向に２条に隣設されており、上方位置に配置される開き止め金具５１によって上下に分断されている。
【００３９】
室外側形材１３１の外周面に配置される熱膨張耐火材ｆ１３１，ｆ１３２の厚さ寸法は、開き止め金具５１，５２，５３の厚さ寸法に比べて同等か小さく形成されており、ドア枠１の外周面の平坦状態を維持している。
【００４０】
なお、室外側形材１３１の外周面に配置される熱膨張耐火材の配置形態は限定されるものではない。
例えば、竪枠１３は、図６（ｂ），図１１，図１２に示すように、室外側形材１３１の外周面の室外側位置に長手方向全長に熱膨張耐火材ｆ１３１が配置され、熱膨張耐火材ｆ１３１の室内側に配置される熱膨張耐火材ｆ１３２のみが上方位置に配置される開き止め金具５１によって上下に分断されていてもよい。
それによって、室外側に配置される熱膨張耐火材ｆ１３１は、竪枠１３の長手方向に連続して配置されることとなり、竪枠１３と障子との間を確実に閉塞することができる。
また、熱膨張耐火材を2条に配置することで、竪枠１３に複数配置される開き止め金具５の寸法によっては一方の熱膨張耐火材を分断して配置することができ、施工が容易となる。
【００４１】
開き止め金具５を固定するナット部１３１ｈ、１３２ｈは、ホップナット等によって設けることが好ましい。
例えば、図１３（ａ），（ｂ）に示すように、鍔部６ａを有するポップナット６の雌ネジ部６ｂに対して取付冶具６１の雄ネジ部６１ａを螺合し、取付冶具６１が取付けられたポップナット６を、図１３（ｃ）に示すように、室外側形材１３１もしくは室内側形材１３２の外周側壁部１３１ａ，１３２ａに形成された孔に挿入する。
【００４２】
その後、取付冶具６１の雄ネジ部６１ａを引っ張ることでポップナット６の雌ネジ部６ｂを変形させ、図１３（ｄ）に示すように、鍔部６ａと変形した部位６ｃで外周側壁部１３１ａ，１３２ａを挟持させて固定する。
最後に、図１３（ｅ）に示すように、取付冶具６１の雄ネジ部６１ａを回転させてポップナット６から外すことで、室外側形材１３１及び室内側形材１３２の外周側壁部１３１ａ，１３２ａの内周面にナット部１３１ｈ，１３２ｈを形成することができる。
【００４３】
以上のように、各実施形態の玄関ドアにおいては、ドア枠の外周面が面一に形成されているので、躯体開口部に対して取付が簡単で、かつ、正確に位置決めして取り付けることができる。
また、室外側形材及び室内側部材が、複数個所で開き防止金具によって連結されているので、断熱性能を維持しながら、火災時に室外側形材と室内側部材が分離することを防止して、防火性能を高めることができる。
【００４４】
また、開き止め金具を、平板状に形成し、ドア枠の内周に設けられたナット部とネジ等の固定手段を用いてドア枠（室外側形材及び室内側部材）を連結しているが、ナット部に固定される固定手段が開き止め金具が外周側に突出することを抑えているので、四周に組んだドア枠と躯体開口部との間の必要なクリアランスを小さく抑えることができ、施工性を維持することができる。
【００４５】
さらに、開き止め金具の室外側に隣接して熱膨張耐火材を配置しているので、竪枠を躯体に固定するためのネジ孔を塞がず、躯体に直接固定されていない室外側部材がガタついて躯体開口部から離間しても、室外側部材と躯体開口部との間を熱膨張耐火材によって埋めることができ、ドア枠と躯体開口部との間に隙間が空くことを防止することができる。
【００４６】
そして、熱膨張耐火材の厚み寸法を開き止め金具の厚み寸法と同等かもしくは小さくしているので、四周組したドア枠を躯体開口部に配置するときに熱膨張耐火材が躯体開口部に接触して剥がれ落ちる等の施工ミスを防止することができる。
【００４７】
以上、本実施形態の玄関ドアについて説明したが、例えば、室内側部材を断面中空形状に形成したり、室外側部材を断面略Ｕ字状に形成したりするなど、ドア枠を構成する枠体の断面形状は何ら限定されるものでもない。
【００４８】
また、ドアについても、副ドアを有さないドアや勝手口などのドアでもよい。
例えば、防火リフォーム玄関ドアは、図１４，図１５に示すように、既設ドア枠の内周に配置され、上枠１１、下枠１２及び左右の竪枠１３，１３を四周に組んでなるドア枠１と、ドア枠１の内周に配置されて人の出入り口を開閉するドア２を有するドアでもよい。
【００４９】
図１４に示す上枠１１は、躯体開口部Ａに固定された既設上枠１０１の内周面に配置されている。
上枠１１は、上室外側形材１１１と、上室内側形材１１２と、上室外側形材１１１と上室内側形材１１２を連結する上ブリッジ材１１３を有しており、上室内側形材１１２が躯体開口部Ａにネジｂ１等によりネジ止め固定されることで躯体開口部Ａに固定されている。
上室外側形材１１１の屋外側には、上枠１１と躯体との間を塞ぐカバー部材１１４がネジ止め固定等によって取り付けられているとともに、上室内側形材１１２の屋内側には、上枠１１と躯体との間を塞ぐ内カバー部材１１５が取り付けられている。
【００５０】
また、図１４に示す下枠１２は、躯体開口部Ａに固定された既設下枠１０２の内周側に配置されている。
下枠１２は、見込み壁部１２ａと、見込み壁部１２ａの室内側に立ち上がる戸当り壁部１２ｂを有しており、戸当り壁部１２ｂが躯体開口部Ａにネジｂ２等によりネジ止め固定されることで躯体開口部Ａに固定されている。
【００５１】
また、図１５に示す左右の竪枠１３，１３は、躯体開口部Ａの内周面に固定された既設竪枠１０３の内周側に配置されており、竪室外側形材１３１と、竪室内側形材１３２と、竪室外側形材１３１と竪室内側形材１３２を連結する竪ブリッジ材１３３を有しており、竪室外側形材１３１及び竪室内側形材１３２が躯体開口部Ａにネジｂ３等により固定されることで躯体開口部Ａに固定されている。
竪室外側形材１３１の屋外側には、竪枠１３と躯体との間を塞ぐカバー部材１３４がネジ止め固定等によって取り付けられているとともに、竪室内側形材１３２の屋内側には、竪枠１３と躯体との間を塞ぐ内カバー部材１３５が取り付けられている。
【００５２】
以上の実施形態は，請求項に記載された発明を限定するものではなく，例示として取り扱われることは言うまでもない。
【符号の説明】
【００５３】
１        ：ドア枠
１３      ：竪枠
１３１    ：（竪）室外側形材
１３１ｈ  ：ナット部
１３２    ：（竪）室内側形材
１３２ｈ  ：ナット部
１３３    ：ブリッジ材
５１−５３：開き止め金具
ｆ１３１−ｆ１３２：熱膨張耐火材
【図１】
2020193446.tif 000003
【図２】
2020193446.tif 000004
【図３】
2020193446.tif 000005
【図４】
2020193446.tif 000006
【図５】
2020193446.tif 000007
【図６】
2020193446.tif 000008
【図７】
2020193446.tif 000009
【図８】
2020193446.tif 000010
【図９】
2020193446.tif 000011
【図１０】
2020193446.tif 000012
【図１１】
2020193446.tif 000013
【図１２】
2020193446.tif 000014
【図１３】
2020193446.tif 000015
【図１４】
2020193446.tif 000016
【図１５】
2020193446.tif 000017